(57)【要約】【課題】簡単な構造で経済的となる防水ズボンにおける前開き部の防水構造を提供する。【解決手段】ファスナー３付きの前開き部２を有する防水ズボン１において、ズボン内側において、その下端６ａから両縁６ｂの上端６ｃにかけてファスナー３の左右のエレメント４に沿って水密固定され、ファスナー３が閉じているときに折り畳み収容される三角巾６を備え、ファスナー３を通って浸入する水を、三角巾６の前面側に形成される防水ポケット空間８で受ける構成とした。【選択図】図１
2009114558.tif 000002
【特許請求の範囲】
【請求項１】
ファスナー付きの前開き部を有する防水ズボンにおいて、
ズボン内側において、その下端から両縁の上端にかけてファスナーの左右のエレメントに沿って水密固定され、ファスナーが閉じているときに折り畳み収容されるポケット巾を備え、
ファスナーを通って浸入する水を、前記ポケット巾の前面側に形成される防水ポケット空間で受ける構成としたことを特徴とする防水ズボンにおける前開き部の防水構造。
【請求項２】
前記ポケット巾は、略逆三角形状の三角巾からなることを特徴とする請求項１に記載の防水ズボンにおける前開き部の防水構造。
【請求項３】
前記三角巾の上縁周りと前記前開き部の上部周りとを連結して、前記ファスナーが閉じているときの前記三角巾の上縁のずれ落ちを防止するずれ落ち防止手段を設けたことを特徴とする請求項２に記載の防水ズボンにおける前開き部の防水構造。
【請求項４】
前記ずれ落ち防止手段は、前記三角巾の上縁周りと前記ファスナーのスライダーとを連結する構成からなり、
前記三角巾の上縁周りの位置移動を前記スライダーの上下動に連動させることを特徴とする請求項３に記載の防水ズボンにおける前開き部の防水構造。
【発明の詳細な説明】
【技術分野】
【０００１】
本発明は、雨ガッパのズボン等の防水ズボンに関するものである。
【背景技術】
【０００２】
雨ガッパのズボンなどの防水ズボンでは、生地の縫合箇所など全ての接合部位にテープシールなどによる水密処理が施されているが、前開き部のファスナーにおいてはその構造上、水密処理を施すことは困難である。
【０００３】
一般に前開き部にはファスナーを隠すいわゆる前立てが備えられることが多く、この場合、前立てはファスナーへの雨粒の浸入を防ぐ機能も果たす。しかしながら、従来の雨ガッパのズボンでは、自動二輪車や自転車などに乗った場合、前記前立てが曲がることにより前立ての横方向の隙間が広がって、そこから雨粒がファスナーへと浸入するという問題がある。
【０００４】
また、ズボンに限らず上着にも適用される前開き部の防水構造の従来例としては特許文献１が挙げられる。
【特許文献１】実開平１−１０２１０５号公報
【発明の開示】
【発明が解決しようとする課題】
【０００５】
しかしながら、特許文献１の技術では前開き部における生地縫製の構造が複雑となり、高価なズボンになりやすい。
【０００６】
本発明はこのような問題を解決するために創作されたものであり、簡単な構造で経済的となる防水ズボンにおける前開き部の防水構造を提供することを目的としている。
【課題を解決するための手段】
【０００７】
本発明は、前記課題を解決するため、ファスナー付きの前開き部を有する防水ズボンにおいて、ズボン内側において、その下端から両縁の上端にかけてファスナーの左右のエレメントに沿って水密固定され、ファスナーが閉じているときに折り畳み収容されるポケット巾を備え、ファスナーを通って浸入する水を、前記ポケット巾の前面側に形成される防水ポケット空間で受ける構成とした。
【０００８】
この防水ズボンにおける前開き部の防水構造によれば、ファスナーを通って水が浸入しても、防水ポケット空間により受け止められるので、内部の衣服まで水が達することはない。また、防水ポケット空間で受け止められた水はファスナーの下部の隙間から外部に出て行くので、防水ポケット空間に多量の水が溜まることはない。ファスナーを開いたときには、折り畳まれた上縁を指で押し下げることにより、前開き部の開口部を確保できる。
【０００９】
また本発明では、前記ポケット巾を、略逆三角形状の三角巾とした。
【００１０】
この防水ズボンにおける前開き部の防水構造によれば、ポケット巾の形状が上部を開放した前開き部の形状に合うので、前開き部の開閉時におけるポケット巾の上げ下げ作業もスムースに行える。
【００１１】
また本発明では、前記三角巾の上縁周りと前記前開き部の上部周りとを連結して、前記ファスナーが閉じているときの前記三角巾の上縁のずれ落ちを防止するずれ落ち防止手段を設けた。
【００１２】
この防水ズボンにおける前開き部の防水構造によれば、ファスナーを閉じている際の三角巾の上縁のずれ落ちが防止され、防水ポケット空間の水の受け止め機能が損なわれることがない。
【００１３】
また本発明では、前記ずれ落ち防止手段は、前記三角巾の上縁周りと前記ファスナーのスライダーとを連結する構成からなり、前記三角巾の上縁周りの位置移動を前記スライダーの上下動に連動させる構成とした。
【００１４】
この防水ズボンにおける前開き部の防水構造によれば、前開き部を開け閉めする度に、ずれ落ち防止手段に関する作業を別途要することもなく、ずれ落ち防止手段の係合のし忘れの問題も起きないため、ファスナーを閉じた際には防水ポケット空間が確実に形成される。
【発明の効果】
【００１５】
本発明によれば、簡単な構造で前開き部を防水できる。
【発明を実施するための最良の形態】
【００１６】
本発明の実施の形態について図面を参照しながら説明する。図１は本発明を適用した防水ズボンを、前開き部を全開にした状態で見た正面図、図２において、（ａ）は前開き部を閉めたときの三角巾の格納状態、（ｂ）は前開き部を開けたときの三角巾の使用状態を示す外観斜視図である。なお、図２では三角巾のみ実線にて示している。
【００１７】
雨ガッパのズボンなどに代表される防水ズボン１は、ファスナー３が取り付けられた前開き部２を有する。前開き部２の上部には止め具７Ａ、７Ｂが取り付けられている。ファスナー３は、防水性のズボンに限らず一般のズボンの前開き部にも使用される汎用のスライドファスナーであり、前開き部２の左右縁に取り付けられるエレメント（務歯）４と、エレメント４同志を噛み合わせるスライダー５とを備える。
【００１８】
符号１２は、エレメント４を形成したテープ生地であり、このテープ生地１２が前開き部２の左右縁に縫合されてズボンに対するファスナー３の取り付けがなされる。また、図１では省略しているが、ファスナー３を隠すために形成される、いわゆる前立てについても適宜に前開き部２に設けられる。
【００１９】
防水ズボン１の内側には、その下端６ａから両縁６ｂの上端６ｃにかけて左右のエレメント４に沿って水密固定され、ファスナー３が閉じているときに折り畳み収容されるポケット巾が備えられる。本実施形態では、このポケット巾を、図１に示すように止め具７Ａ、７Ｂを外して前開き部２の上部を開放させた状態において、略逆三角形状を呈する三角巾６から構成している。三角巾６の生地は、例えば防水ズボン１の生地と同様の防水生地からなる。
【００２０】
三角巾６の下端６ａはファスナー３の下部に位置し、両縁６ｂはエレメント４の左右外側に位置する。これらズボン内側に固定される部位は全て水密固定され、具体例としては三角巾６の縁部を縫合した後に熱溶着性のテープシールなどにより三角巾６の縁部をズボン内側に対してシールする。これにより、閉じた状態のファスナー３とポケット巾である三角巾６の前面との間には、上部が解放された防水ポケット空間８が形成される。
【００２１】
作用を説明すると、図２（ａ）に示すようにファスナー３が閉じた状態では、三角巾６はその上縁６ｄ周りが折り畳まれるかたちで収容される。エレメント４の噛合いの隙間等を通って水が浸入しても、防水ポケット空間８により受け止められるので、内部の衣服まで水が達することはない。防水ポケット空間８で受け止められた水はファスナー３の下部の隙間から外部に出て行くので、防水ポケット空間８に多量の水が溜まることはない。
【００２２】
そして、図２（ｂ）に示すようにファスナー３を開いたときには、折り畳まれた上縁６ｄを指で押し下げることにより、前開き部２の開口部を確保することができる。開口部を大きく確保するためには、三角巾６の上縁６ｄの長さが長い程良く、上縁６ｄの長さを一辺の両縁６ｂ（図１）の長さの１．５〜２倍程度に設定することが好ましい。また、上縁６ｄは直線状に形成される場合に限られず、上側や下側に若干凸となる円弧状として形成しても良い。
【００２３】
本発明によれば、単葉のポケット巾（三角巾６）を前開き部２に取り付けるだけで防水効果を得ることができる。したがって、簡単な構造で済み、経済的な防水ズボン１を提供できる。
【００２４】
次いで、図３および図４を参照して本発明の第１変形例を説明する。図３は第１変形例の防水ズボンを、前開き部を全開にした状態で見た正面図、図４において、（ａ）は前開き部を閉めたときの三角巾の格納状態、（ｂ）は前開き部を開けたときの三角巾の使用状態を示す外観斜視図である。
【００２５】
図１、図２に示した例では、ファスナー３が閉じているとき、折り畳まれていわゆるマチの機能を果たしている上縁６ｄ周りがずれ落ちるおそれがある。第１変形例はこの問題に対処した構造であり、三角巾６の上縁６ｄ周りと前開き部２の上部周りとを連結して、ファスナー３が閉じているときの三角巾６の上縁６ｄのずれ落ちを防止するずれ落ち防止手段９が設けられている。
【００２６】
三角巾６の上縁６ｄ周りと前開き部２の上部周りとの連結態様として、図３では、一方のエレメント４よりも左右方向中央寄りに形成された前開き縁２ａの上部に雄スナップボタン１０Ａを設けるとともに、三角巾６の上縁６ｄの中央部に雌スナップボタン１０Ｂを設けた場合を示している。これらスナップボタンによる連結に代えて面ファスナ等による連結にしても良い。
【００２７】
この第１変形例の防水ズボン１では、図４（ａ）に示すように、雄スナップボタン１０Ａと雌スナップボタン１０Ｂとを係合させてから、ファスナー３を閉じる。前開き部２を開くときには、雄スナップボタン１０Ａと雌スナップボタン１０Ｂとを外して、図１、図２に示した例と同様、上縁６ｄを指で押し下げて前開き部２の開口部を確保する。以上のようなずれ落ち防止手段９を設けることで、ファスナー３を閉じている際の三角巾６の上縁６ｄのずれ落ちが防止され、防水ポケット空間８の水の受け止め機能が損なわれることがない。
【００２８】
次いで、図５および図６を参照して本発明の第２変形例を説明する。図５は第２変形例の防水ズボンで使用する両面ファスナーの外観斜視図、図６において、（ａ）は前開き部を閉めたときの三角巾の格納状態、（ｂ）は前開き部を開けたときの三角巾の使用状態を示す外観斜視図である。
【００２９】
前記第１変形例で示したずれ落ち防止手段９は、前開き部２を開け閉めする度に雄スナップボタン１０Ａと雌スナップボタン１０Ｂとの係脱作業を別途要することになり、人によっては煩わしいと感じたり、前開き部２を閉じたときに雄スナップボタン１０Ａと雌スナップボタン１０Ｂとを係合し忘れることも起こり得る。第２変形例は、ずれ落ち防止手段９として、三角巾６の上縁６ｄ周りとファスナー３のスライダー５とを連結し、三角巾６の上縁６ｄ周りの位置移動をスライダー５の上下動に連動させたことを特徴とする。
【００３０】
図５に示すファスナー３は一般に両面ファスナーと呼ばれ、スライダー５の表裏に引手１１が設けられている。図５では、裏側の引手１１と三角巾６の上縁６ｄ周りとをリング材１３等を用いて連結した場合を示しているが、勿論、縫い糸を用いるなど他の連結態様を用いてスライダー５と三角巾６の上縁６ｄ周りとを連結しても良い。
【００３１】
この第２変形例の防水ズボン１では、図６（ａ）に示すように、ファスナー３を閉じると三角巾６の上縁６ｄが自ずと上がって防水ポケット空間８が形成され、図６（ｂ）に示すように、ファスナー３を開けると三角巾６の上縁６ｄが自ずと下がって前開き部２の開口部が確保される。これにより、前開き部２を開け閉めする度に、ずれ落ち防止手段９に関する作業を別途要することもなく、ずれ落ち防止手段９の係合のし忘れの問題も起きないため、ファスナー３を閉じた際には防水ポケット空間８が確実に形成される。
【００３２】
以上、本発明について好適な実施形態を説明した。本発明はその趣旨を逸脱しない範囲で適宜に設計変更が可能である。ポケット巾の形状は、実施形態で示した三角巾６のように逆三角形状を呈するものが、上部を開放した前開き部２の形状に合うので最も好ましいといえる。しかし、所定の防水ポケット空間８を確保できるものであれば、上縁６ｄ周りの形状を多少変更しても差し支えない。
【図面の簡単な説明】
【００３３】
【図１】本発明を適用した防水ズボンを、前開き部を全開にした状態で見た正面図である。
【図２】（ａ）は前開き部を閉めたときの三角巾の格納状態、（ｂ）は前開き部を開けたときの三角巾の使用状態を示す外観斜視図である。
【図３】第１変形例の防水ズボンを、前開き部を全開にした状態で見た正面図である。
【図４】第１変形例の防水ズボンにおいて、（ａ）は前開き部を閉めたときの三角巾の格納状態、（ｂ）は前開き部を開けたときの三角巾の使用状態を示す外観斜視図である。
【図５】第２変形例の防水ズボンで使用する両面ファスナーの外観斜視図である。
【図６】第２変形例の防水ズボンにおいて、（ａ）は前開き部を閉めたときの三角巾の格納状態、（ｂ）は前開き部を開けたときの三角巾の使用状態を示す外観斜視図である。
【符号の説明】
【００３４】
１      防水ズボン
２      前開き部
３      ファスナー
４      エレメント
５      スライダー
６      三角巾（ポケット巾）
８      防水ポケット空間
９      ずれ落ち防止手段
【図１】
2009114558.tif 000003
【図２】
2009114558.tif 000004
【図３】
2009114558.tif 000005
【図４】
2009114558.tif 000006
【図５】
2009114558.tif 000007
【図６】
2009114558.tif 000008